(57)【要約】【課題】ボルト、ナットの締結を工具を使うことなしに行い、緩み、脱落を防止する。【解決手段】ボルト・ナット緩み脱落防止金具Ｕ１は、ベース１１と、ボルト・ナットホルダー１２と、ロック部１３とを備えて構成され、ナットＮをナットホルダー１２内に保持し、操作部１３４の手操作によるナットホルダー１２の操作により、ナットＮを固定側のボルトのねじ部に係合させて、ナットＮの締め込み方向に回転することにより、ナットＮとボルトとを締結し、この状態をロック部１３によりロックして保持し、その反対の操作により、ナットとボルトとの締結を解除するようにした。【選択図】図８
2017067085.tif 000002
【特許請求の範囲】
【請求項１】
一方の部材に突設されたボルトのねじ部を他方の部材に穿設されたボルト挿通孔に通し、前記ボルト挿通孔に通されたボルトのねじ部にナットを締結して、又は一方の部材に設けられたナットに他方の部材に穿設されたボルト挿通孔に通したボルトのねじ部を締結して、前記一方の部材に前記他方の部材を取り付けるボルト、ナットによる２部材間の取付構造に用いるボルト・ナット緩み脱落防止金具であって、
前記他方の部材の前記ボルト挿通孔の周囲に固定され、前記ボルト挿通孔に対してボルトの長さよりも短い所定の距離だけ離間して対向する、ナット又はボルト頭部よりも大きい円形のガイド穴を有するベースと、
前記ボルト挿通孔の位置又は前記ボルト挿通孔に近接する位置から前記ガイド穴を通り、前記ガイド穴から突出される所定の長さを有し、前記ベースのガイド穴の案内により前記ガイド穴に対して進退可能にかつ前記ガイド穴内で前記ボルト挿通孔の軸心上を回動中心として回動可能に挿通配置され、前記長さ方向の前記ボルト挿通孔側の一端に、前記ガイド穴の周囲に係合可能な抜け止め係止部、及び前記ボルト挿通孔に連通するボルト挿通部を穿設され、ナット又はボルト頭部の座面を支持可能な座面支持部を有し、前記長さ方向の他端と一端との間に、ナットのねじ孔又はボルトのねじ部を前記座面支持部に向けてナットの周面又はボルトの頭部周面をその回転方向の動きを規制して保持し、ナット又はボルトを前記座面支持部に向けて又はその反対方向に少なくともナットのボルトに対する締め込み又はボルトのナットに対する締め込みに必要なストロークに相当する距離まで送り案内可能なガイド部を有し、前記他端には操作部を有するボルト・ナットホルダーと、
前記ベースの前記ガイド穴内での前記ボルト・ナットホルダーの回動方向の動きを止めるためのロック部と、
を備え、
ナット又はボルトを前記ボルト・ナットホルダー内に保持し、
前記操作部による前記ボルト・ナットホルダーの操作により、ナットを前記ボルト挿通孔に通されたボルトのねじ部に係合させて、又は前記ボルト挿通孔に通したボルトのねじ部をナットに係合させて、前記ボルト・ナットホルダーを前記ボルト挿通孔上でナット又はボルトの締め込み方向に回転することにより、ナット又はボルトを前記ボルト・ナットホルダー内で前記ガイド部上を前記座面支持部まで送り、ナットとボルトとを締結し、この状態を前記ロック部により前記ボルト・ナットホルダーの回動方向の動きをロックすることにより保持し、
その反対の操作により、ナットとボルトとの締結を解除する、
ことを特徴とするボルト・ナット緩み脱落防止金具。
【請求項２】
ベースは、全体が略箱形に形成され、底面側と蓋側に２分割されて、他方の部材のボルト挿通孔の周囲に設置固定される底部側のプレートと、前記底部側のプレート上に所定の間隔をおいて取り付け固定される蓋側のプレートとを備え、前記底部側のプレートに前記ボルト挿通部に連通可能にボルト挿通部が形成され、前記蓋側のプレートに前記ボルト挿通部に同芯的にガイド穴が形成されて構成される請求項１に記載のボルト・ナット緩み脱落防止金具。
【請求項３】
ボルト・ナットホルダーは、一対の側面プレート及び前記一対の側面プレートの一端間をつなぐ一端面プレートを有する略コ字形の本体部材と、略Ｌ形のピンとを備え、座面支持部は、前記一端面プレートの中央にボルト挿通部を穿設されるとともに、前記一端面プレートの周縁部に係止部を突設されてなり、ガイド部は、前記一対の側面プレートからなり、少なくとも一方の側面プレートの内面にナットの周面又はボルト頭部の周面をその回転方向の動きを規制して保持可能な溝形形状がナット又はボルトを前記座面支持部に向けて又はその反対方向に所定の距離だけ送り案内可能な長さに形成されてなり、操作部は、前記ピンからなり、前記ピンの折り曲げ部を境に一端側が連結部として前記一対の側面プレートの他端間に回転可能にかつスライド可能に挿着されて抜け止めされ、前記ピンの折り曲げ部を境に他端側がつまみ部として前記一対のガイド部の一方の外側に配置されてなる請求項１又は２に記載のボルト・ナット緩み脱落防止金具。
【請求項４】
ロック部は、ベースとナットホルダーの操作部との間で前記操作部のつまみ部に近接する一方の側面プレートに取り付けられて、前記操作部のつまみ部に向けて延び、先端部に前記つまみ部の周面に係止可能なフックを有するストッパーと、前記操作部の連結部と前記一対の側面プレートの一方との間に設置され、前記操作部を前記つまみ部と前記ストッパーの前記フックとを係合させる方向に付勢するばね部材とにより構成される請求項３に記載のボルト・ナット緩み脱落防止金具。
【発明の詳細な説明】
【技術分野】
【０００１】
本発明は、一方の部材に突設されたボルトのねじ部を他方の部材に穿設されたボルト挿通孔に通し、ボルト挿通孔を通されたボルトのねじ部にナットを締結して、又は一方の部材に設けられたナットに他方の部材に穿設されたボルト挿通孔に通したボルトのねじ部を締結して、一方の部材に他方の部材を取り付けるボルト、ナットによる２部材間の取付構造に用いるボルト・ナット緩み脱落防止金具に関し、特に、構造物の高所に各種の部材を取り付ける場合に最適なボルト・ナット緩み脱落防止金具に関する。
【背景技術】
【０００２】
近年、日本各地に多くの風力発電装置が設置されている。
風力発電装置は、特許文献１などに開示されているように、陸上又は洋上に立設されるタワーと、タワーの上部に設けられるナセルと、ナセルにハブを介して回転自在に支持される複数のブレードを含むロータとを備え、ブレードが風力を受けることによってロータが回転し、ロータの回転がナセル内に収納された発電機に伝達されて、発電を行うようになっている。
【０００３】
この種の風力発電装置にはタワーとナセルとの間に作業者用のハッチが設けられていて、作業者がこのハッチを通じてナセルに出入りし、ナセル内の各機器の点検、保守作業を行っている。このハッチは、タワーとナセルとの間に設けられるハッチ開口部と、このハッチ開口部を閉塞するためのハッチパネルとからなり、ハッチ開口部上にハッチパネルがボルト・ナットを介して取り付けられる。この場合、ハッチ開口部の周囲には複数のボルトがねじ部を下方（垂直方向）に向けて固着され、ハッチパネルの周囲にハッチパネルの上面、下面間を貫通して複数のボルト挿通孔が形成されていて、ハッチパネルは、ハッチ開口部の下から、ハッチパネルの各ボルト挿通孔にハッチ開口部周囲の各ボルトが通されて、ハッチ開口部に被せられ、この状態で、各ボルトにナットが締結されて、ハッチ開口部の直下に固定される。したがって、作業者は、ナセル内に入るときに、ハッチ周囲の各ボルトから各ナットを取り外し、ハッチパネルをハッチ開口部から取り外して、ハッチ開口部を開放し、ナセルから出たときは、ハッチパネルをハッチ開口部の下部に被せ、各ボルトに各ナットを締め込んで、ハッチパネルをハッチ開口部に固定して、ハッチ開口部を閉鎖する。
【０００４】
さて、一般に、構造物に各種の部材をボルト・ナットにより取り付ける場合、ナットをボルトに又はボルトをナットにトルクレンチなどの締付工具を用いて締め付けているが、風力発電装置の場合、タワーとナセルとの間のハッチ開口部が高所にあるので、この高所で作業者がナットを工具で締め込んでいると、この作業中に工具を落としたときに、工具がタワーの下にいる作業者に当たる危険性がある。
そこで、従来は、ハッチパネルの取り付け、取り外しの作業の安全性を考慮して、通常のナットに代えて蝶ナットを用いている。蝶ナットは、特許文献２などにより開示されているように、翼状の取っ手を有し、この取っ手の部分に手で力を加えることで回転し、締め付けたり緩めたりすることができるので、ハッチパネルの取り付け、取り外しを工具を使うことなく行うことができる。
【先行技術文献】
【特許文献】
【０００５】
【特許文献１】特開２０１５−１６１２６３号公報
【特許文献２】特開２０１３−８２０３９号公報
【発明の概要】
【発明が解決しようとする課題】
【０００６】
しかしながら、従来の風力発電装置では、高所のハッチ開口部にハッチパネルをボルトと蝶ナットとにより手締めで締め付け、工具を使わずに取り付けていることで、工具の落下の発生がないものの、ハッチパネルをハッチ開口部に取り付ける際は、各蝶ナットを手で各ボルトに締め付けていくので、蝶ナットが作業者の手から落ちることがあり、また、ハッチパネルをハッチ開口部に取り付けた後でも、ナセル内の発電機の振動や外力によるタワー全体の振動などで、各ボルトに締結された蝶ナットが緩み、外れるおそれがあり、蝶ナットがタワーの下に落ちたとき、タワーの下にいる作業者に当たる危険性がある、という問題がある。
【０００７】
本発明は、このような従来の問題を解決するもので、風力発電装置他各種の構造物の高所にハッチパネル他各種の部材をボルト・ナットで取り付ける場合を含み、一方の部材に突設されたボルトのねじ部を他方の部材に穿設されたボルト挿通孔に通し、ボルト挿通孔を通されたボルトのねじ部にナットを締結して、又は一方の部材に設けられたナットに他方の部材に穿設されたボルト挿通孔に通したボルトのねじ部を締結して、一方の部材に他方の部材を取り付けるボルト、ナットによる２部材間の取付構造において、ボルト、ナットの締結を工具を使うことなしに簡易に行え、ナット又はボルトの緩み、脱落を確実に防止することのできるボルト・ナット緩み脱落防止金具を提供すること、を目的とする。
【課題を解決するための手段】
【０００８】
上記目的を達成するために、本発明のボルト・ナット緩み脱落防止金具は、
一方の部材に突設されたボルトのねじ部を他方の部材に穿設されたボルト挿通孔に通し、前記ボルト挿通孔に通されたボルトのねじ部にナットを締結して、又は一方の部材に設けられたナットに他方の部材に穿設されたボルト挿通孔に通したボルトのねじ部を締結して、前記一方の部材に前記他方の部材を取り付けるボルト、ナットによる２部材間の取付構造に用いるボルト・ナット緩み脱落防止金具であって、
（イ）前記他方の部材の前記ボルト挿通孔の周囲に固定され、前記ボルト挿通孔に対してボルトの長さよりも短い所定の距離だけ離間して対向する、ナット又はボルト頭部よりも大きい円形のガイド穴を有するベースと、
（ロ）前記ボルト挿通孔の位置又は前記ボルト挿通孔に近接する位置から前記ガイド穴を通り、前記ガイド穴から突出される所定の長さを有し、前記ベースのガイド穴の案内により前記ガイド穴に対して進退可能にかつ前記ガイド穴内で前記ボルト挿通孔の軸心上を回動中心として回動可能に挿通配置され、前記長さ方向の前記ボルト挿通孔側の一端に、前記ガイド穴の周囲に係合可能な抜け止め係止部、及び前記ボルト挿通孔に連通するボルト挿通部を穿設され、ナット又はボルト頭部の座面を支持可能な座面支持部を有し、前記長さ方向の他端と一端との間に、ナットのねじ孔又はボルトのねじ部を前記座面支持部に向けてナットの周面又はボルトの頭部周面をその回転方向の動きを規制して保持し、ナット又はボルトを前記座面支持部に向けて又はその反対方向に少なくともナットのボルトに対する締め込み又はボルトのナットに対する締め込みに必要なストロークに相当する距離まで送り案内可能なガイド部を有し、前記他端には操作部を有するボルト・ナットホルダーと、
（ハ）前記ベースの前記ガイド穴内での前記ボルト・ナットホルダーの回動方向の動きを止めるためのロック部と、
を備え、
（ニ）ナット又はボルトを前記ボルト・ナットホルダー内に保持し、
（ホ）前記操作部による前記ボルト・ナットホルダーの操作により、ナットを前記ボルト挿通孔に通されたボルトのねじ部に係合させて、又は前記ボルト挿通孔に通したボルトのねじ部をナットに係合させて、前記ボルト・ナットホルダーを前記ボルト挿通孔上でナット又はボルトの締め込み方向に回転することにより、ナット又はボルトを前記ボルト・ナットホルダー内で前記ガイド部上を前記座面支持部まで送り、ナットとボルトとを締結し、この状態を前記ロック部により前記ボルト・ナットホルダーの回動方向の動きをロックすることにより保持し、
（ヘ）その反対の操作により、ナットとボルトとの締結を解除する、
ことを要旨とする。
【０００９】
また、このボルト・ナット緩み脱落防止金具は各部が次のように具体化される。
（１）ベースは、全体が略箱形に形成され、底面側と蓋側に２分割されて、他方の部材のボルト挿通孔の周囲に設置固定される底部側のプレートと、前記底部側のプレート上に所定の間隔をおいて取り付け固定される蓋側のプレートとを備え、前記底部側のプレートに前記ボルト挿通部に連通可能にボルト挿通部が形成され、前記蓋側のプレートに前記ボルト挿通部に同芯的にガイド穴が形成されて構成される。
（２）ボルト・ナットホルダーは、一対の側面プレート及び前記一対の側面プレートの一端間をつなぐ一端面プレートを有する略コ字形の本体部材と、略Ｌ形のピンとを備え、座面支持部は、前記一端面プレートの中央にボルト挿通部を穿設されるとともに、前記一端面プレートの周縁部に係止部を突設されてなり、ガイド部は、前記一対の側面プレートからなり、少なくとも一方の側面プレートの内面にナットの周面又はボルト頭部の周面をその回転方向の動きを規制して保持可能な溝形形状がナット又はボルトを前記座面支持部に向けて又はその反対方向に所定の距離だけ送り案内可能な長さに形成されてなり、操作部は、前記ピンからなり、前記ピンの折り曲げ部を境に一端側が連結部として前記一対の側面プレートの他端間に回転可能にかつスライド可能に挿着されて抜け止めされ、前記ピンの折り曲げ部を境に他端側がつまみ部として前記一対のガイド部の一方の外側に配置されてなる。
（３）ロック部は、上記（２）において、ベースとナットホルダーの操作部との間で前記操作部のつまみ部に近接する一方の側面プレートに取り付けられて、前記操作部のつまみ部に向けて延び、先端部に前記つまみ部の周面に係止可能なフックを有するストッパーと、前記操作部の連結部と前記一対の側面プレートの一方との間に設置され、前記操作部を前記つまみ部と前記ストッパーの前記フックとを係合させる方向に付勢するばね部材とにより構成される。
なお、このロック部は、ベースとナットホルダーの操作部との間で前記操作部のつまみ部に近接する一方の側面プレートに取り付けられて、前記操作部のつまみ部に向けて延び、先端部に前記つまみ部の周面に係止可能なフックを有するストッパーからなるものであってもよい。
【発明の効果】
【００１０】
本発明のボルト・ナット緩み脱落防止金具によれば、上記（イ）−（ハ）の構成により、（ニ）ナット又はボルトをボルト・ナットホルダー内に保持し、（ホ）操作部によるボルト・ナットホルダーの操作により、ナットをボルト挿通孔に通されたボルトのねじ部に係合させて、又はボルト挿通孔に通したボルトのねじ部をナットに係合させて、ボルト・ナットホルダーをボルト挿通孔上でナット又はボルトの締め込み方向に回転することにより、ナット又はボルトをボルト・ナットホルダー内でガイド部上を座面支持部まで送り、ナットとボルトとを締結し、この状態をロック部によりボルト・ナットホルダーの回動方向の動きをロックすることにより保持し、（ヘ）その反対の操作により、ナットとボルトとの締結を解除するようにしたので、風力発電装置他各種の構造物の高所にハッチパネル他各種の部材をボルト・ナットで取り付ける場合を含み、一方の部材に突設されたボルトのねじ部を他方の部材に穿設されたボルト挿通孔に通し、ボルト挿通孔を通されたボルトのねじ部にナットを締結して、又は一方の部材に設けられたナットに他方の部材に穿設されたボルト挿通孔に通したボルトのねじ部を締結して、一方の部材に他方の部材を取り付けるボルト、ナットによる２部材間の取付構造において、ボルト、ナットの締結を工具を使うことなしに簡易に行え、ナット又はボルトの緩み、脱落を確実に防止することができる、という本発明独自の格別な効果を奏する。
【図面の簡単な説明】
【００１１】
【図１】本発明の第１の実施の形態におけるボルト・ナット緩み脱落防止金具を示す図（（ａ）は正面図（ｂ）は平面図（ｃ）は側面図）
【図２】同ボルト・ナット緩み脱落防止金具の特にベースの一部をなす底部側のプレートを示す図（（ａ）は正面図（ｂ）は平面図（ｃ）は側面図）
【図３】同ボルト・ナット緩み脱落防止金具の特にベースの一部をなす蓋側のプレートを示す図（（ａ）は正面図（ｂ）は平面図（ｃ）は側面図）
【図４】同ボルト・ナット緩み脱落防止金具の特にボルト・ナットホルダーの一部をなすガイド部（一対の側面プレート）を示す図（（ａ）は平面図（ｂ）は正面図（ｃ）は側面図）
【図５】同ボルト・ナット緩み脱落防止金具の特にボルト・ナットホルダーの一部をなす溝形形状（ガイドプレート）を示す図（（ａ）は側面図（ｂ）は正面図（ｃ）は平面図）
【図６】同ボルト・ナット緩み脱落防止金具の特にボルト・ナットホルダーの一部をなす操作部（ピン）を示す図（（ａ）は平面図（ｂ）は正面図（ｃ）は側面図（ｄ）は操作部（ピン）の一端に取り付けられる抜け止めキャップを示す図（（１）は側面図（２）正面断面図））
【図７】同ボルト・ナット緩み脱落防止金具の特にロック部の一部をなすストッパーを示す図（（ａ）は正面図（ｂ）は平面図（ｃ）は側面図）
【図８】同ボルト・ナット緩み脱落防止金具の具体的な使用例として、風力発電装置のタワーとナセルとの間に設けられるハッチ開口部上にハッチパネルをボルト・ナットにより取り付ける場合のこの金具の使い方を示す図（（１）はハッチ開口部にハッチパネルを取り付ける前の状態を示す平面断面図（２）ハッチ開口部にハッチパネルを取り付けた後の状態を示す平面断面図（３）は（２）のＡ部拡大平面断面図
【図９】同ボルト・ナット緩み脱落防止金具の具体的な使用例として、風力発電装置のタワーとナセルとの間に設けられるハッチ開口部上にハッチパネルをボルト・ナットにより取り付ける場合のこの金具の使い方を示す図（ハッチ開口部にハッチパネルを取り付けた状態を示す正面図）
【図１０】本発明の第２の実施の形態におけるボルト・ナット緩み脱落防止金具を示す図（（ａ）は正面図（ｂ）は平面図（ｃ）は側面図）
【図１１】同ボルト・ナット緩み脱落防止金具の特にベースの一部をなす蓋側のプレートを示す図（（ａ）は正面図（ｂ）は平面図（ｃ）は側面図）
【図１２】本発明の第３の実施の形態におけるボルト・ナット緩み脱落防止金具を示す図（（ａ）は正面図（ｂ）は平面図（ｃ）は側面図）
【図１３】同ボルト・ナット緩み脱落防止金具の特にベースの一部をなす蓋側のプレートを示す図（（ａ）は正面図（ｂ）は平面図（ｃ）は側面図）
【発明を実施するための形態】
【００１２】
次に、この発明の実施の形態について図を用いて説明する。
なお、次の各実施の形態において、ボルト・ナット緩み脱落防止金具は、既述のとおり、風力発電装置他各種の構造物の高所にハッチパネル他各種の部材をボルト・ナットで取り付ける場合を含み、一方の部材に突設されたボルトのねじ部を他方の部材に穿設されたボルト挿通孔に通し、ボルト挿通孔に通されたボルトのねじ部にナットを締結して、又は一方の部材に設けられたナットに他方の部材に穿設されたボルト挿通孔に通したボルトのねじ部を締結して、一方の部材に他方の部材を取り付けるボルト、ナットによる２部材間の取付構造に用いるものである。ここで固定側のボルト又はナットに締め込む締め込み側のナット又はボルトは六角ナット又は六角ボルトである。
【００１３】
図１乃至図８に第１の実施の形態を示している。
図１に示すように、ボルト・ナット緩み脱落防止金具Ｕ１は、ベース１１と、ボルト・ナットホルダー１２と、ロック部１３とを備えて構成される。
【００１４】
図１に示すように、ベース１１は、他方の部材の一方の部材に対向する面とは反対側の面、つまり、他方の部材の表面でボルト挿通孔の周囲に固定され、他方の部材のボルト挿通孔に対してボルトの長さ（全長）よりも短い所定の距離だけ離間して対向する、締め込み側のナット又はボルト頭部（の外径）よりも大きい円形のガイド穴１１０を有する。
この場合、ベース１１は、全体が略箱形に形成され、底面側と蓋側に２分割されて、他方の部材表面のボルト挿通孔の周囲に設置固定される底部側のプレート１１１と、底部側のプレート１１１上に所定の間隔をおいて取り付け固定される蓋側のプレート１１８とを備え、底部側のプレート１１にボルト挿通部に連通可能にボルト挿通部１１２が形成され、蓋側のプレート１１８にボルト挿通部１１２に同芯的にガイド穴１１０が形成されて構成される。
ここで、底部側のプレート１１１は、図２に示すように、ステンレス鋼などの金属材により左右方向に長い矩形状に形成されるとともに断面コ字形に折り曲げられて、矩形状の底面部１１３と、底面部１１３の左右両側で所定の幅（この幅によりボルト挿通孔からガイド穴１１０までの間に所定の距離が確保される）を有する矩形状の両側面部１１５とを有する。底面部１１３には中央にボルト挿通部１１２がボルト挿通孔と略同径の円形に穿たれ、四隅近傍にそれぞれ取付ねじ挿通孔１１４が穿たれる。各側面部１１５には一端側の幅方向略中央にリベット挿通部１２１が穿設され、他端側の幅方向略中央に外側面、内側面間を貫通して係止穴１１７が形成される。
蓋側のプレート１１８は、図３に示すように、ステンレス鋼板などの金属材により左右方向に長い矩形状に形成されるとともに断面コ字形に折り曲げられて、矩形状の蓋部１１９と、蓋部１１９の左右両側で所定の幅を有する矩形状の両側面部１２０とを有してなる。この蓋側のプレート１１８の場合、蓋部１１９の幅（左右方向の寸法）が底部側のプレート１１１の底面部１１３の幅よりも僅かに大きく、両側面部１２０の幅（奥行方向の寸法）が底部側のプレート１１１の両側部１１５の幅よりも少し小さくなっている。蓋部１１９には中央にガイド穴１１０が後述するボルト・ナットホルダー１２が内接可能な所定の径を有する円形に穿たれる。各側面部１２０には、底部側のプレート１１１の各側面部１１５のリベット挿通部１１６に対応させて、一端側にリベット挿通部１２１が穿たれ、他端側に内方に向けて凸状の係止凸起１２２が形成される。
このようにして、図１に示すように、底部側のプレート１１１上に蓋側のプレート１１８が、底部側のプレート１１１の各側面部１１５の外側に蓋側のプレート１１８の各側面部１２０が重合されて、被せられ、各プレート１１１の各側面部１１５、１２０のリベット挿通部１１６、１２１に外側から内側に向けてリベット１２３が挿通されカシメられて、これらリベット１２３により底部側のプレート１１１上に蓋側のプレート１１８が回動可能に取り付けられ、底部側のプレート１１１の各側面部１１５の各係止穴１１７と蓋側のプレート１１８の各側面部１１８の各係止凸起１２２との係合により固定されるようになっている。
【００１５】
図１に示すように、ボルト・ナットホルダー１２は、ボルト挿通孔の位置又はボルト挿通孔に近接する位置からガイド穴１１０を通り、ガイド穴１１０から突出される所定の長さを有し、ベース１１のガイド穴１１０の案内によりガイド穴１１０に対して進退可能にかつガイド穴１１０内でボルト挿通孔の軸心上を回動中心として回動可能に挿通配置され、前記長さ方向のボルト挿通孔側の一端に、ガイド穴１１０の周囲に係合可能な抜け止め係止部１３２、及びボルト挿通孔に連通するボルト挿通部１３１を穿設され、締め込み側ナットＮ又はボルト頭部の座面を支持可能な座面支持部１３０を有し、前記長さ方向の他端と一端との間に、締め込み側のナットＮのねじ孔又はボルトのねじ部を座面支持部１３０に向けてナットＮの周面又はボルトの頭部周面をその回転方向の動きを規制して保持し、締め込み側のナットＮ又はボルトを座面支持部１３０に向けて又はその反対方向に少なくとも締め込み側のナットＮの固定側のボルトに対する締め込み又は締め込み側のボルトの固定側のナットに対する締め込みに必要なストロークに相当する距離まで送り案内可能なガイド部１３３を有し、他端には操作部１３４を有する。
この場合、ボルト・ナットホルダー１２は、ステンレスなどの金属材により全体が略コ字形のプレートとして形成され、一対の側面プレート１２５及び一対の側面プレート１２５の一端間をつなぐ一端面プレート１２７からなる本体部１２４と、ステンレスなどの金属材により略Ｌ形に形成され、一対の側面プレート１２５の他端部間に挿通されるＬ形のピン１３４Ｐとを備える。
ここで、一対の側面プレート１２５はそれぞれ、図４に示すように、固定側又は締め込み側のボルトの全長と略同じ長さ（各側面プレート１２５の一端をボルト挿通孔の位置孔又はボルト挿通孔に近接する位置にセットした状態で他端側がガイド穴１１０から指の腹でつまめる程度に突出される長さ）で締め込み側のナットＮ又はボルト頭部の外径と略同じ幅を有する長い平板状に形成され、かつ各側面プレート１２５間に締め込み側のナットＮ又はボルト頭部の外径よりも僅かに大きい寸法が設定されて各側面プレート１２５の両側縁部がガイド穴１１０の内周縁に接触可能に形成され、他端にはＬ形のピンを挿通可能なピン挿通孔１２６が穿たれる。なお、これらの側面プレート１２５はそれぞれ矩形状の一端面プレート１２７の相互に対向する一方の縁部から突出される。一端面プレート１２７は四隅がベース１１のガイド穴１１０の内周縁に接触可能な大きさの矩形の平板状に形成される。また、これら一対の側面プレート１２５のうち、少なくとも一方の側面プレート１２５の内面にガイドプレート１２８が併せて設けられる。このガイドプレート１２８は、図５に示すように、側面プレート１２５の内面に重合可能に側面プレート１２５の内面と略同じ外形を有し、一端から両側縁部を所定の幅だけ残して他端に向けて、締め込み側のナットＮ又はボルト頭部の６面からなる周面の一面幅よりも少し大きい幅（一面とその両側角部の少し外側の位置が嵌合可能な大きさ）でかつ締め込み側のナットＮの固定側のボルトに対する締め込み又は締め込み側のボルトの固定側のナットに対する締め込みに必要な締め込み側のナットＮ又はボルトのストローク（移動量）に相当する長さの矩形状に切り欠かれて、全体として略コ字形形状に形成され、他端に側面プレート１２５のピン挿通孔１２６に対応してピン挿通孔１２９が穿たれる。
座面支持部１３０は、図４に示すように、本体部材１２４において矩形状の一端面プレート１２７の中央にボルト挿通部１３１が穿たれるとともに、一端面プレート１２７の周縁部、ここでは各側面プレート１２５が突出される相互に対向する一方の縁部とは異なる他方の縁部にそれぞれ抜け止め係止部１３２が外周方向に略四角形状に突設されて形成される。なお、抜け止め係止部１３２の先端は円弧状に形成される。
一対のガイド部１３３は、図１に示すように、本体部材１２４において一対の側面プレート１２５とガイドプレート１２８とにより形成される。すなわち、一対の側面プレート１２５の少なくとも一方の内面にガイドプレート１２８が重合配置され、この内面に、ガイドプレート１２８のコ字形形状により、締め込み側のナットＮの周面又はボルト頭部の周面をその回転方向の動きを規制して保持可能な溝形形状が締め込み側のナットＮ又はボルトを座面支持部１３０に向けて又はその反対方向に所定のストロークだけ送り案内可能な長さに形成される。
操作部１３４は、図６に示すように、ピン１３４Ｐの中央よりも一方の端部側（この場合、他端側）にある折り曲げ部を境にピン１３４Ｐの一端側が連結軸１３５として他端側がつまみ部１３６としてなり、図１に示すように、連結軸１３５が一対の側面プレート１２５の他端のピン挿通部１２６間に回転可能にかつスライド可能に挿着され、一端に図６（ｄ）に示す抜け止めキャップ１３７が嵌着されて抜け止めされ、つまみ部１３６が一対の側面プレート１２５の一方の外側に配置される。
このようにしてボルト・ナットホルダー１２はベース１１のガイド穴１１０に対して、一端側の抜け止め係止部１３２により抜け止めされて、ガイド穴１１０にその内周縁の案内により進退可能にかつボルト挿通孔の軸心上を回動中心として回動可能に挿通配置されて、ベース１１内に組み付けられる。なお、このボルト・ナットホルダー１２とベース１１の組み付けは次のように行われる。まず、ベース１１をなす底部側のプレート１１１に対して蓋側のプレート１１８がリベット１２３を回動中心にして回動され、各プレート１１１、１１８が開かれる。次に、ボルト・ナットホルダー１２から操作部１３４のピン１３４Ｐが取り外され、このホルダー１２が他端側より蓋側のプレート１１８の内面側からガイド穴１１０に通される。そして、ホルダー１２の他端のピン挿通孔１２６間にピン１３４Ｐが通され、底部側のプレート１１１と蓋側のプレート１１８が合わせられて蓋側のプレート１１８の係止凸起１２２と底部側のプレート１１１の係止穴１１７との係合により固定される。これによりボルト・ナットホルダー１２とベース１１が組み付けられる。
【００１６】
図１に示すように、ロック部１３は、ベース１１のガイド穴１１０内でのボルト・ナットホルダー１２の回動方向の動きを止めるためのもので、この場合、ロック部１３は、ベース１１とボルト・ナットホルダー１２の操作部１３４との間で操作部１３４のつまみ部１３６に近接する一対の側面プレート１２５の一方に取り付けられて、操作部１３４のつまみ部１３６に向けて延び、先端部につまみ部１３６の周面に係止可能なフック１３９を有するストッパー１３８と、操作部１３４の連結軸１３５と一対の側面プレート１２５の一方との間に設置され、操作部１３４をつまみ部１３６とストッパー１３８のフック１３９とを係合させる方向に付勢するばね部材１４１とにより構成される。
ここで、ストッパー１３８は、図７に示すように、本体が合成樹脂材により細長い矩形の平板状に形成され、先端部が操作部１３４のつまみ部１３６の周面に沿って係合可能に略Ｃ字形に切り欠かれて、先端部にフック１３９が形成され、基端部の両側にそれぞれ直角方向に一方のガイド部１３３の周面に沿って係合可能に一対のコ字形の部材が相互に開放部を対向させて突設され、基端部に取付部１４０が形成される。このストッパー１３８は、ボルト・ナットホルダー１２のベース１１への組み付けに際し、一対の側面プレート１２５の他端間に操作部１３４のＬ形のピン１３４Ｐが通される前に、ストッパー１３８の取付部１４０に一方の側面プレート１２５が嵌挿されて、一方の側面プレート１２５の周面に取り付けられる。
ばね部材１４１は圧縮コイルばねが用いられ、図１に示すように、圧縮コイルばね１４１は操作部１３３であるピン１３４Ｐの一端側に巻き付けられて、圧縮コイルばね１４１の一端をピン１３４Ｐの一端に近接する所定の位置に固定され、他端をピン１３４Ｐの一端に近接する一方の側面プレート１２５に固定され、常態として操作部１３４のピン１３４Ｐは一対の側面プレート１２５のピン挿通部１２６間でつまみ部１３６側の他端から一端に向けて押圧付勢される。したがって、つまみ部１３６は圧縮コイルばね１４１により常態としてベース１１側に引張られた状態になっている。
このようにしてロック部１３は、ストッパー１３８が取付部１４０により一方の側面プレート１２５の周面に取り付けられて、操作部１３４のつまみ部１３６に向けて延び、先端部のフック１３９に操作部１３４のつまみ部１３６が弾性的に係合されることにより、ベース１１のガイド穴１１０内でのボルト・ナットホルダー１２の回動を規制するようになっている。
なお、このロック部１３では、ストッパー１３８のフック１３９と操作部１３４のつまみ部１３６とを係合させ、この状態を確実に保持するために、ばね部材１４１を用いたが、フック１３９につまみ部１３６を係止するだけでも、この係合状態は保持されるので、ばね部材１４１はなくてもかまわない。
【００１７】
このボルト・ナット緩み脱落防止金具Ｕ１はかかる構成を備え、一方の部材に突設された固定側のボルトのねじ部を他方の部材に穿設されたボルト挿通孔に通し、このボルト挿通孔に通されたボルトのねじ部に締め込み側のナットＮを締結して、一方の部材に他方の部材を取り付ける場合に、締め込み側のナットＮをボルト・ナットホルダー１２内のガイド部１３３に既述のとおりに保持し、この金具Ｕ１を他方の部材の表面側で、ボルト挿通孔の周囲にベース１１を介して取り付けて、操作部１３４によるボルト・ナットホルダー１２の操作により、締め込み側のナットＮをボルト挿通孔に通された固定側のボルトのねじ部に係合させて、ボルト・ナットホルダー１２をボルト挿通孔上でナットＮの締め込み方向に回転することにより、ナットＮをボルト・ナットホルダー１２内でガイド部１３３上を座面支持部１３０まで送って締め込み側のナットＮと固定側のボルトとを締結し、この状態をロック部１３により、この場合、操作部１３４のつまみ部１３６とストッパー１３８のフック１３９とを弾性係合させて、ボルト・ナットホルダー１２の回動方向の動きをロックすることにより保持し、その反対の操作により、締め込み側のナットＮと固定側のボルトとの締結を解除するようになっている。
また、このボルト・ナット緩み脱落防止金具Ｕ１は、一方の部材に設けられた固定側のナットに他方の部材に穿設されたボルト挿通孔に通した締め込み側のボルトのねじ部を締結して、一方の部材に他方の部材を取り付ける場合に、締め込み側のボルトをボルト・ナットホルダー１２内に保持し、操作部１３４によるボルト・ナットホルダー１２の操作により、ボルト挿通孔に通した締め込み側のボルトのねじ部を固定側のナットに係合させて、ボルト・ナットホルダー１２をボルト挿通孔上で締め込み側のボルトの締め込み方向に回転することにより、締め込み側のボルトをボルト・ナットホルダー１２内でガイド部１３３上を座面支持部１３０まで送って締め込み側のボルトと固定側のナットとを締結し、この状態をロック部１３により、この場合、操作部１３４のつまみ部１３６とストッパー１３８のフック１３９とを弾性係合させて、ボルト・ナットホルダー１２の回動方向の動きをロックすることにより保持し、その反対の操作により、締め込み側のボルトと固定側のナットとの締結を解除するようになっている。
【００１８】
図８、図９にこのボルト・ナット緩み脱落防止金具Ｕ１の具体的な使用例として、風力発電装置のタワーとナセルとの間に設けられるハッチ開口部上にハッチパネルをボルト・ナットにより取り付ける場合のこの金具Ｕ１の使い方を示している。
なお、この風力発電装置では、図８、図９に示すように、ハッチ開口部Ｇ０の周囲に複数のボルトＢがねじ部を下方（垂直方向）に向けて固着され、ハッチパネルＧ１の周囲にハッチパネルＧ１の上面、下面間を貫通して複数のボルト挿通孔０が形成されていて、ハッチパネルＧ１を、ハッチ開口部Ｇ０の下から、ハッチパネルＧ１の各ボルト挿通孔０にハッチ開口部Ｇ０周囲の各ボルトＢを通しながら、ハッチ開口部Ｇ０に被せ、この状態で、各ボルトＢに締め込み側のナットＮを締結して、ハッチ開口部Ｇ０の直下に固定するようになっている。
また、この場合、固定側のボルトＢにナットＮを締め込むので、ここでは、ボルト・ナットホルダー１２を単にナットホルダー１２と称することにする。
【００１９】
まず、図８（１）に示すように、固定側の各ボルトＢに締結する締め込み側のナットＮをナットホルダー１２に組み入れ、ハッチパネルＧ１の各ボルト挿通孔０ごとにボルト・ナット緩み脱落防止金具Ｕ１を取り付ける。この場合、ナットＮを座面を座面支持部１３０に向けてガイド部１３３に押し入れることで、ナットＮは周面の一面及びその両側の角部がガイド部１３３（一方の側面プレート１２５）の内面の溝形形状（ガイドプレート１２８のコ字形形状）内に嵌合されてガイド部１３３に挟持される。そして、ベース１１（底部側のプレート１１１と蓋側のプレート１１８（図１参照））を開き、底部側のプレート１１１をハッチパネルＧ１に底部側のプレート１１１のボルト挿通部１１２（図１参照）とハッチパネルＧ１のボルト挿通孔０とを合せて設置し、底部側のプレート１１１の四隅の取付ねじ挿通部１１４（図１参照）を通して取付ねじｂをハッチパネルＧ１に締結し、ボルト・ナット緩み脱落防止金具Ｕ１をハッチパネルＧ１に固定する。この金具Ｕ１の固定後、ベース１１の蓋側のプレート１１８を底部側のプレート１１１側に回動して、蓋側のプレート１１８の係止凸起１２２（図１参照）と底部側のプレート１１１の係止穴１１７（図１参照）との係合により、底部側のプレート１１１に固定する。このようにしてハッチパネルＧ１の各ボルト挿通孔０ごとにボルト・ナット緩み脱落防止金具Ｕ１を取り付ける。
次に、ハッチパネルＧ１を、ハッチ開口部Ｇ０の下から、ハッチパネルＧ１の各ボルト挿通孔０にハッチ開口部Ｇ０周囲の各ボルトＢを通しながら、ハッチ開口部Ｇ０に被せる。
そして、この状態から、図８（２）、（３）に示すように、ボルト・ナット緩み脱落防止金具Ｕ１の操作により、各ボルトＢのねじ部にナットＮを締め込んでいく。この場合、図８（３）に示すように、ボルト・ナット緩み脱落防止金具Ｕ１の操作部１３４の手操作によりナットホルダー１２を操作して、締め込み側のナットＮをボルト挿通孔０に通されたボルトＢのねじ部に係合させ、ナットホルダー１２をボルト挿通孔０上でナットＮの締め込み方向に回転することによる手締めにより、ナットＮをナットホルダー１２内でガイド部１３３上を座面支持部１３０まで送って締め込み側のナットＮと固定側のボルトＢとを締結する。そして、この状態をロック部１３により、この場合、操作部１３４のつまみ部１３６をベース１１側に倒して、このつまみ部１３６とストッパー１３８のフック１３９とを弾性係合させて、ナットホルダー１２の回転方向の動きをロックすることにより保持する。
このようにこのボルト・ナット緩み脱落防止金具Ｕ１を用いた手締めによるナットＮの締め付けによれば、ナットＮの締め付け中にナットＮがボルトＢから外れても、ナットＮはナットホルダー１２内でガイド部１３３に嵌合されて、ナットホルダー１２内に保持されるから、ナットＮがボルトＢから脱落してタワーの下に落ちることがない。また、ナットホルダー１２がロック部１３により回り止めされるので、タワーやナセルに外力により生じる振動などを原因とするナットＮの緩みは確実に防止される。
なお、ハッチパネルＧ１を開けるときなどナットＮとボルトＢとの締結を解除する場合は、上記と反対の操作を行えばよい。
【００２０】
なお、ここでは、固定側のボルトＢに締め込み側のナットＮを締め込む場合を例示したが、固定側のナットに締め込み側のボルトを締め込む場合にも、このボルト・ナット緩み脱落防止金具Ｕ１を同様に用いることができる。この場合、ガイド部１３３の他端から操作部１３４のピン１３４Ｐを取り外して、ガイド部１３３の他端から、ボルトの座面を座面支持部１３０に向け、ねじ部を座面支持部１３０のボルト挿通部１３１に通しながら、ボルトをガイド部１３３に差し入れ、ボルト頭部の周面の一面をガイド部１３３の内面の溝形形状（ガイドプレート１２８のコ字形形状）内に嵌め込むことで、ボルト頭部がガイド部１３３に挟持される。このようにしてボルトを上記と同様に固定側のナットに締め込めばよい。この場合、ボルト・ナットホルダー１２はボルトホルダー１２と称することになる。
【００２１】
以上説明したように、このボルト・ナット緩み脱落防止金具Ｕ１によれば、締め込み側のナットＮ又はボルトをボルト・ナットホルダー１２内に保持し、操作部１３４の手操作によるボルト・ナットホルダー１２の操作により、締め込み側のナットＮをボルト挿通孔０に通された固定側のボルトＢのねじ部に係合させて、又はボルト挿通孔に通した締め込み側のボルトのねじ部を固定側のナットに係合させて、ボルト・ナットホルダー１２をボルト挿通孔０上で締め込み側のナットＮ又はボルトの締め込み方向に回転することにより、ナットＮ又はボルトをボルト・ナットホルダー１２内でガイド部１３３上を座面支持部１３０まで送り、ナットＮとボルトＢとを締結し、この状態をロック部１３により、この場合、操作部１３のつまみ部１３６をベース１１側に倒して、このつまみ部１３６とストッパー１３８のフック１３９とを弾性係合させて、ボルト・ナットホルダー１２の回動方向の動きをロックすることにより保持し、その反対の操作により、ナットＮとボルトＢとの締結を解除するようにしたので、風力発電装置他各種の構造物の高所にハッチパネル他各種の部材をボルト・ナットで取り付ける場合を含み、一方の部材に突設された固定側のボルトのねじ部を他方の部材に穿設されたボルト挿通孔に通し、このボルト挿通孔を通されたボルトのねじ部に締め込み側のナットを締結して、又は一方の部材に設けられた固定側のナットに他方の部材に穿設されたボルト挿通孔に通した締め込み側のボルトのねじ部を締結して、一方の部材に他方の部材を取り付けるボルト、ナットによる２部材間の取付構造において、ボルト、ナットの締結を工具を使うことなしに簡易に行え、ナット又はボルトの緩み、脱落を確実に防止することができる。
【００２２】
図１０、図１１に第２の実施の形態を示している。
図１０に示すように、ボルト・ナット緩み脱落防止金具Ｕ２は、第１の実施の形態と略同様の構成の、ベース１１、ボルト・ナットホルダー１２、ロック部１３を備えて構成される。
この金具Ｕ２の第１の実施の形態と異なる点は、ベース１１の底部側のプレート１１１と蓋側のプレート１１８との固定構造にある。この実施の形態の金具Ｕ２では、図１０に示すように、底部側のプレート１１１の各側面部１１５の両端側の幅方向略中央にそれぞれ、外側面、内側面間を貫通して四角形の係止穴２１７が形成され、図１１に示すように、蓋側のプレート１１８の各側面部１２０の両端側にそれぞれ、底部側のプレート１１１の各側面部１１５の各係止穴２１７に対応させて、コ字形の切り起しにより、係止爪２２２が内方に斜めに突出して形成される。
このようにして蓋側のプレート１１８を底部側のプレート１１１上に被せ付け、蓋側のプレート１１８の各側面部１２０の各係止爪２２２と底部側のプレート１１１の各側面部１１５の係止穴２１７との係合により固定する。つまり、蓋側のプレート１１８の各側面部１２０の内側面を底部側のプレート１１１の各側面部１１５の一端から底部側のプレート１１１の各側面部１１５の外側面に接触させるようにして嵌め合せ、蓋側のプレート１１８の各側面部１２０を底部側のプレート１１１の各側面部１１５上で摺動させながら被せていく。この間、蓋側のプレート１１８の各側面部１２０の各係止爪２２２は底部側のプレート１１１の各側面部１１５により蓋側のプレート１１８の各側面部１２０の面側に押し戻される。そして、蓋側のプレート１１８を底部側のプレート１１１上に完全に被せたところで、蓋側のプレート１１８の各側面部１２０の各係止爪２２２が底部側のプレート１１１の各側面部１１５の各係止穴２１７に係止され、蓋側のプレート１１８と底部側のプレート１１１が固定される。このようにして蓋側のプレート１１８と底部側のプレート１１１とを各係止爪２２２と各係止穴２１７との係合により着脱可能に固定する。
このようにしても第１の実施の形態と同様の作用効果を得ることができる。
【００２３】
図１２、図１３に第３の実施の形態を示している。
図１２に示すように、ボルト・ナット緩み脱落防止金具Ｕ３は、第１の実施の形態と略同様の構成の、ベース１１、ボルト・ナットホルダー１２、ロック部１３を備えて構成される。
この金具Ｕ３の第１の実施の形態と異なる点は、ベース１１の底部側のプレート１１１と蓋側のプレート１１８との固定構造にある。この実施の形態では、図１３に示すように、蓋側のプレート１１８に底部側のプレート１１１の各取付ねじ挿通部１１４に対応してドライバーなどの工具を挿入するための開口３１７が形成される。
このようにしてこの金具Ｕ３はベース１１を蓋側のプレート１１８の各開口３１７、底部側のプレート１１１の各取付ねじ挿通部１１４を通してドライバーなどの工具により取付ねじｂを一方の部材に締め込むことにより固定して取り付けるようになっている。このようにしても第１の実施の形態と同様の作用効果を得ることができる。
【符号の説明】
【００２４】
Ｕ１  ボルト・ナット緩み脱落防止金具
Ｎ  締め込み側のナット
１１  ベース
１１０  ガイド穴
１１１  底部側のプレート
１１２  ボルト挿通部
１１３  底面部
１１４  取付ねじ挿通孔
１１５  側面部
１１６  リベット挿通部
１１７  係止穴
１１８  蓋側のプレート
１１９  蓋部
１２０  側面部
１２１  リベット挿通部
１２２  係止凸起
１２３  リベット
１２  ボルト・ナットホルダー
１２４  本体部
１２５  側面プレート
１２６  ピン挿通孔
１２７  一端面プレート
１２８  ガイドプレート
１２９  ピン挿通孔
１３０  座面支持部
１３１  ボルト挿通部
１３２  抜け止め係止部
１３３  ガイド部
１３４  操作部
１３４Ｐ  ピン
１３５  連結軸
１３６  つまみ部
１３７  抜け止めキャップ
１３  ロック部
１３８  ストッパー
１３９  フック
１４０  取付部
１４１  ばね部材（圧縮コイルばね）
Ｇ０  ハッチ開口部
Ｂ  固定側のボルト
Ｇ１  ハッチパネル
０  ボルト挿通孔
ｂ  取付ねじ
Ｕ２  ボルト・ナット緩み脱落防止金具
２１７  係止穴
２２２  係止爪
Ｕ３  ボルト・ナット緩み脱落防止金具
３１７  開口
【図１】
2017067085.tif 000003
【図２】
2017067085.tif 000004
【図３】
2017067085.tif 000005
【図４】
2017067085.tif 000006
【図５】
2017067085.tif 000007
【図６】
2017067085.tif 000008
【図７】
2017067085.tif 000009
【図８】
2017067085.tif 000010
【図９】
2017067085.tif 000011
【図１０】
2017067085.tif 000012
【図１１】
2017067085.tif 000013
【図１２】
2017067085.tif 000014
【図１３】
2017067085.tif 000015